(57)【要約】複数のアンテナを備える移動局でサウンディング基準信号を送信する方法が開示される。複数のアンテナのそれぞれに、相互直交性を有する互いに異なる複数のサウンディング基準信号シーケンスがマッピングされて伝送される。または、同一のサウンディング基準信号シーケンスがプリコーディングまたは巡回遅延ダイバーシティ処理されて複数のアンテナにマッピングされて伝送される。本発明によれば、複数アンテナを備えるユーザー機器で各アンテナ別にサウンディング基準信号を效率的に伝送することによって、複数アンテナに対するチャネル推定を效率的に行うことができる。
2012506193.tif 000002
【特許請求の範囲】
【請求項１】
無線移動通信システムおいて、複数のアンテナを備える移動局でサウンディング基準信号を送信する方法であって、
前記移動局で、前記複数のアンテナに複数のサウンディング基準信号シーケンスをマッピングする段階であって、前記複数のサウンディング基準信号シーケンスは、相互直交性を有する互いに異なるサウンディング基準信号シーケンスである、サウンディング基準信号シーケンスマッピング段階と、
前記移動局で、前記複数のアンテナを介して前記マッピングされた複数のサウンディング基準信号シーケンスを送信する段階と、
を含む、サウンディング基準信号送信方法。
【請求項２】
前記それぞれのアンテナに割り当てられるサウンディング基準信号帯域幅は同一である、請求項１に記載のサウンディング基準信号送信方法。
【請求項３】
前記複数のサウンディング基準信号シーケンスのうちのいずれか一つのサウンディング基準信号シーケンスは、いずれか他のサウンディング基準信号シーケンスから巡回シフトされて生成されたものである、請求項１に記載のサウンディング基準信号送信方法。
【請求項４】
前記複数のサウンディング基準信号シーケンスのうちのいずれか一つのサウンディング基準信号シーケンスは、いずれか他のサウンディング基準信号シーケンスから巡回シフトされて生成されたものである、請求項２に記載のサウンディング基準信号送信方法。
【請求項５】
前記無線移動通信システムは複数のキャリアを使用し、
前記サウンディング基準信号送信方法は、前記複数のキャリアのうち、前記送信されたサウンディング基準信号に基づいて選択されたキャリアを特定する情報を受信する段階をさらに含む、請求項１に記載のサウンディング基準信号送信方法。
【請求項６】
無線移動通信システムにおいて、複数のアンテナを備える移動局でサウンディング基準信号を送信する方法であって、
前記移動局で、前記複数のアンテナを介して複数のサウンディング基準信号シーケンスを送信する段階であって、前記複数のアンテナの各アンテナにはそれぞれ異なるサウンディング基準信号帯域幅が割り当てられる、サウンディング基準信号シーケンス送信段階と、
前記移動局で、前記各アンテナに割り当てられたサウンディング基準信号帯域幅を特定して指示する情報を送信する段階と、
を含む、サウンディング基準信号送信方法。
【請求項７】
前記各アンテナに割り当てられる各サウンディング基準信号帯域幅は、あらかじめ決定された条件によって制限される、請求項６に記載のサウンディング基準信号送信方法。
【請求項８】
前記移動局は総２個のアンテナを備え、前記サウンディング基準信号帯域幅は総４個のインデックスにより特定され、前記２個のアンテナのうちの第１アンテナに割り当てられるサウンディング基準信号帯域幅の帯域幅インデックスは、前記２個のアンテナのうちの第２のアンテナに割り当てられるサウンディング基準信号帯域幅の帯域幅インデックスと隣接する値である、請求項７に記載のサウンディング基準信号送信方法。
【請求項９】
前記無線移動通信システムは複数のキャリアを使用し、
前記サウンディング基準信号送信方法は、前記複数のキャリアのうち、前記送信されたサウンディング基準信号に基づいて選択されたキャリアを特定する情報を受信する段階をさらに含む、請求項６に記載のサウンディング基準信号送信方法。
【請求項１０】
無線移動通信システムにおいて、複数のアンテナを備える移動局でサウンディング基準信号を送信する方法であって、
前記移動局で、前記複数のアンテナを介して伝送されるサウンディング基準信号シーケンスにプリコーディングを適用する事前処理段階であって、前記複数のアンテナには同一のサウンディング基準信号帯域幅が割り当てられる、事前処理段階と、
前記移動局で、前記複数のアンテナを介して前記事前処理されたサウンディング基準信号シーケンスを送信する段階と、
を含む、サウンディング基準信号送信方法。
【請求項１１】
前記事前処理段階で、互いに異なるサウンディング基準信号伝送区間では互いに異なるプリコーディング行列が適用される、請求項１０に記載のサウンディング基準信号送信方法。
【請求項１２】
前記事前処理段階は、前記サウンディング基準信号シーケンスに巡回遅延ダイバーシティ処理を行う段階を含む、請求項１０に記載のサウンディング基準信号送信方法。
【請求項１３】
前記無線移動通信システムは、複数のキャリアを使用し、
前記サウンディング基準信号送信方法は、前記複数のキャリアのうち、前記送信されたサウンディング基準信号に基づいて選択されたキャリアを特定する情報を受信する段階をさらに含む、請求項１０に記載のサウンディング基準信号送信方法。
【請求項１４】
前記事前処理段階及び前記サウンディング基準信号シーケンスを送信する段階は、前記複数のキャリアの各キャリアに対して独立して行われる、請求項１３に記載のサウンディング基準信号送信方法。
【請求項１５】
特定サウンディング基準信号伝送時点において、前記各アンテナには、前記複数のキャリアのうちの互いに異なるキャリアがマッピングされる、請求項１３に記載のサウンディング基準信号送信方法。
【発明の詳細な説明】
【技術分野】
【０００１】
本発明は、無線移動通信装置でマルチアンテナを使用してサウンディング基準信号の伝送効率を向上させ、アップリンク多重アンテナ技術を支援するための方法である。
【背景技術】
【０００２】
無線移動通信システムでは、送信端と受信端間のチャネルが固定されておらず、送信アンテナと受信アンテナ間のチャネルを随時測定する必要がある。チャネルを測定すべく互いに約束された信号をやり取りする場合、チャネルによる振幅減少量及び位相遷移値などが把握でき、このように把握された情報は送信側にフィードバックすることができる。または、これらの情報を用いて、約束されていないデータ情報を信頼性よく検出して復号化することができる。この送受信端に約束された信号を、基準信号、パイロット信号、またはサウンディング基準信号と呼ぶことができる。
【０００３】
現在、３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ）では、２以上のアンテナを使用するユーザー機器が一つのパワーアンプを使用しているため、サウンディング基準信号を同時に２以上のアンテナを介して伝送することは困難である。しかし、ＬＴＥ−Ａ（ＬＴＥ−Ａｄｖａｎｃｅｄ）では、各アンテナ別に各自のパワーアンプを使用することができるため、２以上のアンテナを用いて同時にサウンディング基準信号を伝送する方法に関する研究が必要である。
【０００４】
図１は、２個のアンテナを有するユーザー機器が、サウンディング基準信号送信を行う一例を示す図である。
【０００５】
図１で、横軸は周波数軸を表し、縦軸は時間軸を表す。‘ｎ＿ＳＲＳ’は、サウンディング基準信号が伝送される時間インデックスを表す。図１には、説明の便宜上、時間に沿って連続して伝送される直交周波数分割多重接続シンボルのうち、サウンディング基準信号が伝送される直交周波数分割多重接続シンボルのみを示している。すなわち、例えば、ｎ＿ＳＲＳ＝０とｎ＿ＳＲＳ＝１との間には、図１に示していない他の直交周波数分割多重接続シンボルが存在できる。
【０００６】
図１で、‘Ａｘｙ’（ｘ＝０，１；ｙ＝０，１）は、サウンディング基準信号送信のために特定ユーザー機器（ｘ）の特定アンテナ（ｙ）に割り当てられるリソースブロックを表す。ここで、ｘは、ユーザー機器を識別する番号であり、ｙは、各ユーザー機器のアンテナを識別する番号である。すなわち、例えば、‘Ａ０ｙ’は、ユーザー機器０のアンテナｙに割り当てられるリソースブロックを表し、‘Ａ１ｙ’は、ユーザー機器１のアンテナｙに割り当てられるリソースブロックを表す。また、‘Ａｘ０’は、ユーザー機器ｘのアンテナ０に割り当てられるリソースブロックを表し、‘Ａｘ１’は、ユーザー機器ｘのアンテナ１に割り当てられるリソースブロックを表す。したがって、例えば、‘Ａ０１’は、ユーザー機器０のアンテナ１に割り当てられるリソースブロックを表す。
【０００７】
図１を参照すると、ユーザー機器０のアンテナ０及びアンテナ１のためのリソースブロックは、同一時間に同時に割り当てられない。すなわち、サウンディング基準信号は、アンテナ０及びアンテナ１を通じて同時に伝送されない。例えば、ユーザー機器０のアンテナ０に対するリソースブロックであるＡ００は、ｎ＿ＳＲＳ＝０，２，４，６に割り当てられるのに対し、ユーザー機器０のアンテナ１に対するリソースブロックであるＡ０１は、ｎ＿ＳＲＳ＝１，３，５，７に割り当てられる。同様に、ユーザー機器１のアンテナ０及びアンテナ１にそれぞれ割り当てられるリソースブロックは、同一時間に同時に伝送されない。すなわち、各ユーザー機器は、図１に示すように、２個のアンテナを時間領域で交互に使用してサウンディング基準信号伝送をしながら周波数ホッピングを行うことができる。
【発明の概要】
【発明が解決しようとする課題】
【０００８】
本発明では、複数アンテナを備えるユーザー機器が参入する無線移動通信システムで、各アンテナ別にサウンディング基準信号を效率的に伝送する新しい方法を提供する。
【課題を解決するための手段】
【０００９】
上記の本発明の目的を達成するための、本発明の一様相による、無線移動通信システムにおいて、複数のアンテナを備える移動局でサウンディング基準信号を送信する方法は、前記移動局で、前記複数のアンテナに複数のサウンディング基準信号シーケンスをマッピングする段階であって、前記複数のサウンディング基準信号シーケンスは相互直交性を持つ互いに異なるサウンディング基準信号シーケンスである、サウンディング基準信号シーケンスマッピング段階と、前記移動局で、前記複数のアンテナを介して前記マッピングされた複数のサウンディング基準信号シーケンスを送信する段階と、を含む。
【００１０】
ここで、好適には、前記それぞれのアンテナに割り当てられるサウンディング基準信号帯域幅は同一である。
【００１１】
好適には、前記複数のサウンディング基準信号シーケンスのうちのいずれか一つのサウンディング基準信号シーケンスは、いずれか他のサウンディング基準信号シーケンスから巡回シフトされて生成されたものである。
【００１２】
好適には、前記複数のサウンディング基準信号シーケンスのうちのいずれか一つのサウンディング基準信号シーケンスは、いずれか他のサウンディング基準信号シーケンスから巡回シフトされて生成されたものである。
【００１３】
好適には、前記無線移動通信システムは複数のキャリアを使用し、前記サウンディング基準信号送信方法は、前記複数のキャリアのうち、前記送信されたサウンディング基準信号に基づいて選択されたキャリアを特定する情報を受信する段階をさらに含む。
【００１４】
本発明の他の様相による、無線移動通信システムにおいて、複数のアンテナを備える移動局でサウンディング基準信号を送信する方法は、前記移動局で、前記複数のアンテナを介して複数のサウンディング基準信号シーケンスを送信する段階であって、前記複数のアンテナの各アンテナにはそれぞれ異なるサウンディング基準信号帯域幅が割り当てられる、サウンディング基準信号シーケンス送信段階と、前記移動局で、前記各アンテナに割り当てられたサウンディング基準信号帯域幅を特定して指示する情報を送信する段階と、を含む。
【００１５】
ここで、好適には、前記各アンテナに割り当てられる各サウンディング基準信号帯域幅は、あらかじめ決定された条件により制限される。
【００１６】
好適には、前記移動局は、総２個のアンテナを備え、前記サウンディング基準信号帯域幅は、総４個のインデックスにより特定され、前記２個のアンテナのうちの第１アンテナに割り当てられるサウンディング基準信号帯域幅の帯域幅インデックスは、前記２個のアンテナのうちの第２アンテナに割り当てられるサウンディング基準信号帯域幅の帯域幅インデックスと隣接する値である。
【００１７】
好適には、前記無線移動通信システムは複数のキャリアを使用し、前記サウンディング基準信号送信方法は、前記複数のキャリアのうち、前記送信されたサウンディング基準信号に基づいて選択されたキャリアを特定する情報を受信する段階をさらに含む。
【００１８】
本発明の他の様相による、無線移動通信システムにおいて、複数のアンテナを備える移動局でサウンディング基準信号を送信する方法は、前記移動局で、前記複数のアンテナを介して伝送されるサウンディング基準信号シーケンスにプリコーディングを適用する事前処理段階であって、前記複数のアンテナには同一のサウンディング基準信号帯域幅が割り当てられる、事前処理段階と、前記移動局で、前記複数のアンテナを介して前記事前処理されたサウンディング基準信号シーケンスを送信する段階と、を含む。
【００１９】
ここで、好適には、前記事前処理段階で、互いに異なるサウンディング基準信号伝送区間で互いに異なるプリコーディング行列が適用される。
【００２０】
好適には、前記事前処理段階は、前記サウンディング基準信号シーケンスに巡回遅延ダイバーシティ処理を行う段階を含む。
【００２１】
好適には、前記無線移動通信システムは、複数のキャリアを使用し、前記サウンディング基準信号送信方法は、前記複数のキャリアのうち、前記送信されたサウンディング基準信号に基づいて選択されたキャリアを特定する情報を受信する段階をさらに含む。
【００２２】
好適には、前記事前処理段階及び前記サウンディング基準信号シーケンスを送信する段階は、前記複数のキャリアの各キャリアに対して独立して行われる。
【００２３】
好適には、特定サウンディング基準信号伝送時点において、前記各アンテナには、前記複数のキャリアのうちの互いに異なるキャリアがマッピングされる。
【発明の効果】
【００２４】
本発明によれば、複数アンテナを備えるユーザー機器で各アンテナ別にサウンディング基準信号を效率的に伝送することによって、複数アンテナに対するチャネル推定を效率的に行うことができる。
【図面の簡単な説明】
【００２５】
【図１】２個のアンテナを有するユーザー機器がサウンディング基準信号送信を行う一例を示す図である。
【図２】各ユーザー機器が互いに異なるユーザー機器固有の帯域幅を有する場合に、サウンディング基準信号シーケンスを伝送するためのホッピングパターンの一例を示す図である。
【図３】本発明による、結合方式を用いてサウンディング基準信号を送信するのに用いられるサウンディング基準信号シーケンスマッピング構造の一例を示す図である。
【図４】プリコーディングベクトルセットを用いたサウンディング基準信号伝送のリソース割当の一例を示す図である。
【図５】各送信アンテナに互いに異なるサウンディング基準信号シーケンスをマッピングして、複数のアンテナを介してサウンディング基準信号シーケンスを伝送する、本発明による一実施例を示す図である。
【図６】各送信アンテナに互いに異なるサウンディング基準信号帯域幅を割り当て、複数のアンテナを介してサウンディング基準信号シーケンスを伝送する、本発明による一実施例を示す図である。
【図７】サウンディング基準信号シーケンスにプリコーディングを適用して、複数のアンテナを介してサウンディング基準信号シーケンスを伝送する、本発明による一実施例を示す図である。
【図８】一つのパワーアンプを用いて４アンテナサウンディング基準信号伝送を行う本発明の一実施例を示す図である。
【図９】周波数分割多重化及び時分割多重化を用いて４アンテナサウンディング基準信号伝送を行う本発明の一実施例を示す図である。
【図１０】本発明の一実施例によって、プリコーディングされたアンテナ対に基づいて時分割多重化により４アンテナサウンディング基準信号伝送を行う一例を示す図である。
【図１１】本発明の他の実施例によって、プリコーディングされたアンテナ対に基づいて周波数分割多重化により４アンテナサウンディング基準信号伝送を行う一例を示す図である。
【発明を実施するための形態】
【００２６】
本発明のさらなる利点、目的、及び特徴の一部は、以下の詳細な説明で説明され、他の一部は、本発明の実施から習得されたり、下記の内容から当該技術の分野における通常の知識を有する者には明らかになる。本発明の目的及び他の利点は、添付の図面の他、ここに記述される詳細な説明及び請求の範囲で特に指摘された構造により実現されて得られる。
【００２７】
本発明の好適な実施例に対する参照（ｒｅｆｅｒｅｎｃｅ）を詳細に説明し、本発明の例示は、添付の図面に基づいて説明される。図面中、同一のまたは類似の部分には、可能な限り、同一の参照番号（ｒｅｆｅｒｅｎｃｅ  ｎｕｍｂｅｒ）を付する。
【００２８】
サウンディング基準信号シーケンスは、
【００２９】
【化１】
2012506193.tif 000003
のように定義することができる。
【００３０】
【化２】
2012506193.tif 000004
は、複数のグループに分けることができる。ここで、
【００３１】
【化３】
2012506193.tif 000005
は、グループの個数を、ｖはグループ内のベースシーケンスの個数を表す。これら複数のグループのうち、
【００３２】
【化４】
2012506193.tif 000006
が
【００３３】
【化５】
2012506193.tif 000007
を満たすグループは、一つの
【００３４】
【化６】
2012506193.tif 000008
を含み、
【００３５】
【化７】
2012506193.tif 000009
が、
【００３６】
【化８】
2012506193.tif 000010
を満たすグループは、２つの
【００３７】
【化９】
2012506193.tif 000011
を含むことができる。
【００３８】
【化１０】
2012506193.tif 000012
は、数学式１のように決定することができる。
【００３９】
【数１】
2012506193.tif 000013
ここで、
【００４０】
【化１１】
2012506193.tif 000014
は、上位層により定められることができる。
【００４１】
【化１２】
2012506193.tif 000015
は、
【００４２】
【化１３】
2012506193.tif 000016
と乗じられた後、
【００４３】
【化１４】
2012506193.tif 000017
から始まって数学式２に該当するリソース要素（ｋ，ｌ）にマッピングされることができる。
【００４４】
【数２】
2012506193.tif 000018
ここで、
【００４５】
【化１５】
2012506193.tif 000019
は、サウンディング基準信号の周波数−領域開始位置を表し、
【００４６】
【化１６】
2012506193.tif 000020
は、サウンディング基準信号の長さを表す。
【００４７】
【化１７】
2012506193.tif 000021
は、数学式３のように表すことができる。
【００４８】
【数３】
2012506193.tif 000022
ここで、
【００４９】
【化１８】
2012506193.tif 000023
に対して
【００５０】
【化１９】
2012506193.tif 000024
の値が下記の表１乃至表４に表されている。
【００５１】
【表１】
2012506193.tif 000025
【００５２】
【表２】
2012506193.tif 000026
【００５３】
【表３】
2012506193.tif 000027
【００５４】
【表４】
2012506193.tif 000028
表１、表２、表３、及び表４はそれぞれ、
【００５５】
【化２０】
2012506193.tif 000029
のアップリンク帯域幅に対する
【００５６】
【化２１】
2012506193.tif 000030
を表す。セル−固有パラメータである‘サウンディング基準信号帯域幅構成’とユーザー機器固有パラメータである
【００５７】
【化２２】
2012506193.tif 000031
は、上位層により定められる。ここで、
【００５８】
【化２３】
2012506193.tif 000032
と表記することができる。
【００５９】
【化２４】
2012506193.tif 000033
は、数学式４のように定義することができる。
【００６０】
【数４】
2012506193.tif 000034
ここで、
【００６１】
【化２５】
2012506193.tif 000035
であり、
【００６２】
【化２６】
2012506193.tif 000036
は、“伝送コム(ｃｏｍｂ)”に決定されるオフセット値である。
【００６３】
【化２７】
2012506193.tif 000037
は、周波数位置インデックスである。
【００６４】
【化２８】
2012506193.tif 000038
は、サウンディング基準信号の周波数ホッピングのために、上位層により与えられることができる。もし、周波数ホッピングが可能でなければ（すなわち、サウンディング基準信号ホッピング帯域幅が、サウンディング基準信号帯域幅と等しい、または大きい時に、
【００６５】
【化２９】
2012506193.tif 000039
）、
【００６６】
【化３０】
2012506193.tif 000040
は、一定の値を有し、
【００６７】
【化３１】
2012506193.tif 000041
と定義される。ここで、
【００６８】
【化３２】
2012506193.tif 000042
は、ユーザー機器のために上位層により定められる値である。もし、周波数ホッピングが可能であれば
【００６９】
【化３３】
2012506193.tif 000043
、
【００７０】
【化３４】
2012506193.tif 000044
は、数学式５のように定義することができる。
【００７１】
【数５】
2012506193.tif 000045
ここで、
【００７２】
【化３５】
2012506193.tif 000046
は、上記の表１乃至表４に示されている。
【００７３】
数学式５で、
【００７４】
【化３６】
2012506193.tif 000047
は、数学式６のように定義することができる。
【００７５】
【数６】
2012506193.tif 000048
【００７６】
【化３７】
2012506193.tif 000049
にかかわらず、
【００７７】
【化３８】
2012506193.tif 000050
と定義される。また、
【００７８】
【化３９】
2012506193.tif 000051
は、ユーザー機器−固有のサウンディング基準信号伝送をカウントする。
【００７９】
【化４０】
2012506193.tif 000052
は、サウンディング基準信号伝送のユーザー機器−固有の周期性を表す。
【００８０】
サウンディング基準信号は、サブフレームの最後のシンボルに伝送される。
【００８１】
サウンディング基準信号伝送に対するセル固有のサブフレーム構成周期、一つのフレームに対するセル固有のサブフレームオフセットは、表５乃至表６に表されている。
【００８２】
【表５】
2012506193.tif 000053
【００８３】
【表６】
2012506193.tif 000054
表５は、周波数分割二重化サウンディング基準信号サブフレーム構成を表し、表６は、時間分割二重化サウンディング基準信号サブフレーム構成を表す。
【００８４】
下に述べるサウンディング基準信号パラメータは、上位層により半静的に決定されるユーザー機器固有のパラメータである。
− 伝送コム
− 開始物理リソースブロック割当
− サウンディング基準信号送信の持続長さ：単一または不定、（不能化（ｄｉｓａｂｌｅ）されるまで）
− サウンディング基準信号周期性に対するサウンディング基準信号構成インデックスＩサウンディング基準信号及びサウンディング基準信号サブフレームオフセット
− サウンディング基準信号帯域幅
− 周波数ホッピング帯域幅
− 巡回シフト
サウンディング基準信号伝送帯域は、アップリンク物理制御チャネル領域を含まない。
【００８５】
アンテナ選択を支援するユーザー機器がアンテナ選択をすることができる時に、
【００８６】
【化４１】
2012506193.tif 000055
は、ユーザー機器の複数のアンテナのうち、時間ｎサウンディング基準信号でサウンディング基準信号を伝送するアンテナを表す。全体または部分サウンディング帯域に対して、周波数ホッピングが可能でない時
【００８７】
【化４２】
2012506193.tif 000056
には、
【００８８】
【化４３】
2012506193.tif 000057
は数学式７のように表現でき、周波数ホッピングが可能な時
【００８９】
【化４４】
2012506193.tif 000058
には、
【００９０】
【化４５】
2012506193.tif 000059
は、数学式８のように表現できる。
【００９１】
【数７】
2012506193.tif 000060
【００９２】
【数８】
2012506193.tif 000061
ユーザー機器が単一サウンディング基準信号送信を行う時以外は、Ｋは
【００９３】
【化４６】
2012506193.tif 000062
と定義される。ここで、
【００９４】
【化４７】
2012506193.tif 000063
によらず、
【００９５】
【化４８】
2012506193.tif 000064
である。
【００９６】
現在、ＬＴＥでは、２個のアンテナを有するユーザー機器が時間ｎサウンディング基準信号に応じてインデックスにより定められたアンテナを選択してサウンディング基準信号伝送をする。例えば、ユーザー機器ｋの２個のアンテナのインデックスをそれぞれＡｋ０、Ａｋ１とし、２つのユーザー機器ｋ＝０、１が、表７のそれぞれｂ＝１、ｂ＝２に該当する帯域幅構成を有するとすることができる。表７は、サウンディング基準信号帯域幅構成を表したものである。
【００９７】
【表７】
2012506193.tif 000065
上述のように、図１のような方法により伝送されたサウンディング基準信号を受信する受信端では、サウンディング基準信号が受信される周波数帯域に基づいて、複数個の送信アンテナのうちのいずれのアンテナから送信されたサウンディング基準信号であるかが区別できる。
【００９８】
本発明では、図１における方法とは違い、ユーザー機器の各アンテナを交互に選択的に使用せずに、同時に２個以上のアンテナがサウンディング基準信号を伝送する方法を提示する。
【００９９】
本発明の実施例によれば、２個のアンテナを介して同時にサウンディング基準信号伝送をするために、２個以上のアンテナにそれぞれ異なるシーケンスを割り当てることができる。
【０１００】
２個のアンテナを介して同時にサウンディング基準信号を伝送するためには、まず、サウンディング基準信号伝送のために必要なシーケンスを２個のアンテナに割り当てなければならない。各アンテナに互いに異なるシーケンスを割り当てることによって、サウンディング基準信号同時伝送を容易にすることができる。ユーザー機器のシーケンスに関する情報は、
【０１０１】
【化４９】
2012506193.tif 000066
、該当のグループ内のベースシーケンスの個数ｖ、ユーザー機器固有の帯域幅、及び巡回シフトで構成される。２個以上のアンテナを有するユーザー機器の各アンテナに異なるシーケンスを割り当てるために、本発明による下記の実施例１、実施例２、及び実施例３のうちのいずれか一つを用いることができる。実施例１及び実施例２は、説明の便宜のために、一つのユーザー機器に２個のアンテナが備えられるとしたが、３個以上のアンテナが備えられた場合に拡張することもできることは自明である。
【実施例】
【０１０２】
<実施例１>
本発明による方法Ａは、複数−アンテナに対してベースシーケンス及びユーザー機器固有の帯域幅が互いに同一であるが、各アンテナに対して互いに異なる巡回シフト値を有する場合に適用可能である。以下、“ユーザー機器固有の帯域幅”は、各アンテナに割り当てられるサウンディング基準信号帯域幅を指し示す。
【０１０３】
あるユーザー機器の２個のアンテナに対して同一のベースシーケンス及び同一のサウンディング基準信号帯域幅が用いられるが、各アンテナに、互いに異なる巡回シフト値を有する互いに異なるシーケンスが割り当てられる。この場合、実施例１によれば、特定サウンディング基準信号シーケンスが複数の送信アンテナのうちのいずれのアンテナから送信されたかを知らせるために、送信端から送信されるシグナリングに追加的なビットを割り当てる必要がない。
【０１０４】
実施例１では、２個のアンテナのうちの第二のアンテナに割り当てられる巡回シフト値は、第一のアンテナに割り当てられる巡回シフト値と互いに異なるあらかじめ定義された大きさだけ差があるから、２個の送信アンテナから送信されるサウンディング基準信号シーケンスは直交性を有する。しかるに、遅延拡散が大きい場合、２つのシーケンスの巡回シフト値間の差が小さいほど、これら両シーケンス間の直交性が崩れる確率が高い。直交性が崩れる場合、２個のアンテナから送信されるサウンディング基準信号シーケンスを信頼性よく区別することができず、また、これらのサウンディング基準信号シーケンスは同時に同一周波数帯域上で送信されるものであるから、特定サウンディング基準信号シーケンスが２個のアンテナのうちのいずれのアンテナから送信されたものかがわからない。したがって、遅延拡散が大きい場合にも、２個のシーケンス間の直交性を維持するために、第一のアンテナに対する巡回シフト値が与えられると、第二のアンテナの巡回シフト値は、上の第一のアンテナに対する巡回シフト値から一定間隔以上離れた巡回シフト値を選択することが好ましい。例えば、数学式１のように、巡回シフト値が０乃至７のうちのいずれか一つである場合に、第一のアンテナに対する巡回シフト値が０であれば、第二のアンテナに対する巡回シフトの値は３に定めることができる。
【０１０５】
このようにあらかじめ定義された巡回シフト値を用いることによって、追加的なビットを伝送することなく、２つのアンテナに割り当てられた互いに異なるシーケンスを区別することができる。これをより、既存のＬＴＥ端末とＬＴＥ−Ａ端末は両方とも、追加的なシグナリングなしでも同一の基地局からサウンディング基準信号伝送を受けることができる。
【０１０６】
<実施例２>
本発明による実施例２では、複数−アンテナに対してユーザー機器固有の帯域幅が互いに同一であるが、各アンテナに対して互いに異なるベースシーケンスまたは他のグループに属するシーケンスが用いられる。
【０１０７】
実施例１では、２個のアンテナに同一のベースシーケンスが割り当てられたが、これと違い、実施例２では、異なるベースシーケンスまたは異なるグループに属するシーケンスを２個のアンテナに用いてシグナリングを行うことができる。２個のアンテナにあらかじめ定義された互いに異なるグループまたは互いに異なるシーケンス値が割り当てられるから、追加的なビットを伝送することなく、２アンテナに割り当てられた互いに異なるシーケンスを区別することができる。この場合、上記と同様に、各アンテナに互いに異なる巡回シフト値をさらに適用することができる。しかし、基本的に、２つのアンテナにそれぞれ割り当てられたグループとベースシーケンスが互いに異なるから、２つのアンテナに同一の巡回シフト値が割り当てられても、２つのアンテナに対するサウンディング基準信号シーケンスを区別することができる。
【０１０８】
<実施例３>
本発明による実施例３は。複数−アンテナの各アンテナに割り当てられるユーザー機器固有の帯域幅が互いに異なる場合に適用することができる。
【０１０９】
図２は、各ユーザー機器が互いに異なるユーザー機器固有の帯域幅を有する場合に、サウンディング基準信号シーケンスを伝送するためのホッピングパターンの一例を示す図である。図２では、各ユーザー機器別に互いに異なるサウンディング基準信号帯域幅が割り当てられるが、本発明による実施例３では、一つのユーザー機器内に備えられた各アンテナに互いに異なるサウンディング基準信号帯域幅が割り当てられるとする。
【０１１０】
実施例３は、実施例１の場合と略同様であり、ただし、２つのアンテナが互いに異なるユーザー機器固有の帯域幅を有する場合に、第二のアンテナのシーケンスの値は、第一のアンテナのユーザー機器固有の帯域幅を基準にした変化量によって割り当てることができるという点が異なる。例えば、各アンテナに４つの互いに異なるサウンディング基準信号帯域幅が割り当てられることができる。この場合、表１乃至表４に表現されたように、４つの互いに異なるサウンディング基準信号帯域幅は、インデックス‘ｂ’により表現されることができる。すなわち、サウンディング基準信号帯域幅ｂ＝０、サウンディング基準信号帯域幅ｂ＝１、サウンディング基準信号帯域幅ｂ＝２、サウンディング基準信号帯域幅ｂ＝３により特定できる。この場合、２個のアンテナに互いに異なるサウンディング基準信号帯域幅が割り当てられる場合、割り当て可能な互いに異なるサウンディング基準信号帯域幅の組み合わせは、１２個が存在する。すなわち、第一のアンテナのためのサウンディング基準信号帯域幅のインデックスをｂ０とし、第二のアンテナのためのサウンディング基準信号帯域幅のインデックスをｂ１とする時に、（ｂ０，ｂ１）は、｛（０，１）、（０，２）、（０，３）、（１，０）、（１，２）、（１，３）、（２，０）、（２，１）、（２，３）、（３，０）、（３，１）、（３，２）｝のうちのいずれか一つになりうる。方法Ｃでは、アンテナ別に互いに異なるサウンディング基準信号帯域幅が割り当てられると仮定したので、（ｂ０，ｂ１）は、（０，０）、（１，１）、（２，２）、または（３，３）の組み合わせを有することはできない。１２個の場合の数を表現するためには４ビットが必要とされる。または、４つの互いに異なるサウンディング基準信号帯域幅を割り当てることができる場合、第一のアンテナに割り当てられるサウンディング基準信号帯域幅を特定するために２ビットが必要とされ、第二のアンテナに割り当てられるサウンディング基準信号帯域幅を特定するためには他の２ビットが要求され、総４ビットが要求される。
【０１１１】
もし、一つのユーザー機器内に備えられた各アンテナに割り当てられるユーザー機器固有の帯域幅が互いに隣接するとすれば、すなわち、４個のサウンディング基準信号帯域幅をそのインデックスの大きさ順に整列した時に隣り合うインデックスを有する２つの帯域幅が各アンテナに割り当てられるとすれば、第一のアンテナに割り当てられるサウンディング基準信号帯域幅を特定するために２ビットが必要とされ、第二のアンテナに割り当てられるサウンディング基準信号帯域幅を特定するためには他の１ビットのみが要求され、総３ビットのみ要求される。例えば、第一のアンテナのサウンディング基準信号帯域幅ｂ＝１の時、追加された１ビットの値が０であれば、第二のアンテナのサウンディング基準信号帯域幅ｂ＝０が割り当てられ、追加された１ビットの値が１であれば、第二のアンテナのサウンディング基準信号帯域幅ｂ＝２が割り当てられると定めることができる。同様に、第一のアンテナのサウンディング基準信号帯域幅ｂ＝０の時に、追加された１ビットの値が０であれば、第二のアンテナのサウンディング基準信号帯域幅ｂ＝１が割り当てられ、追加された１ビットの値が１であれば、第二のアンテナへのサウンディング基準信号帯域幅ｂ＝２が割り当てられると定めることができる。同様に、第一のアンテナのサウンディング基準信号帯域幅ｂ＝３の時に、追加された１ビットの値が０であれば、第二のアンテナのサウンディング基準信号帯域幅ｂ＝２が割り当てられ、追加された１ビットの値が１であれば、第二のアンテナのサウンディング基準信号帯域幅ｂ＝１が割り当てられると定めることができる。このように、一つのユーザー機器に備えられた２個のアンテナには、それぞれ隣接するインデックスを有するサウンディング基準信号帯域幅を割り当てるとあらかじめ定義することができる。同一のシンボル内で第一のアンテナに割り当てられたサウンディング基準信号帯域幅に隣接するサウンディング基準信号帯域幅を第二のアンテナに割り当ててサウンディング基準信号を伝送するようになる。２つのアンテナに割り当てられたサウンディング基準信号帯域幅の値の差が大きい場合には、第一のアンテナの伝送周期と第二のアンテナの伝送周期との差が大きくなるため、損失が発生する。
【０１１２】
または、第二のアンテナに割り当てられるサウンディング基準信号シーケンスに対する自由度を高めるために、第二のアンテナに割り当てられるサウンディング基準信号帯域幅のインデックス値を制限しなくても良い。この場合には、第二のアンテナに割り当てられるサウンディング基準信号帯域幅を表現するために２ビットを使用することができる（ただし、サウンディング基準信号帯域幅が総４個が存在する場合）。
【０１１３】
他のベースシーケンスまたは他のグループに対しても上記のようなシグナリングを行うことができる。すなわち、あらかじめ定義されたグループまたはシーケンス値を用いて第二のアンテナにシーケンスを割り当てることができる。ここでも、上記と同様に異なる巡回シフト値を適用することができる。グループとベースシーケンスが異なるから、同一の巡回シフト値を持つ場合にも２つのアンテナに対するサウンディング基準信号シーケンスを区別することができる。
【０１１４】
本発明による他の実施例１または実施例２によれば、コード分割多重化を用いて複数−アンテナの各アンテナを介して同時にサウンディング基準信号を送信することができる。複数−アンテナを備えたユーザー機器のアンテナが同一のユーザー機器固有の帯域幅を有する場合に、各アンテナに互いに異なるシーケンスが用いられる場合、コード分割多重化方式を用いてサウンディング基準信号伝送を行うことができる。すなわち、互いに異なるコードシーケンスが割り当てられる複数個のアンテナ、例えば、２個のアンテナを使用して同一のユーザー機器固有の帯域幅を通じてサウンディング基準信号を伝送することによって、２つのアンテナの該当帯域幅に関するチャネル情報が同時にわかる。この方法を使用すると、全体サウンディング基準信号帯域幅のチャネル情報を得るために、既存の周波数ホッピングパターンを使用する時に必要なサウンディング基準信号伝送周期の半分のみを使用しても、２つのアンテナの全体サウンディング基準信号帯域幅のチャネル情報がわかる。
【０１１５】
本発明の他の実施例３によれば、周波数分割多重化を用いて複数−アンテナの各アンテナを介して同時にサウンディング基準信号を送信することができる。複数−アンテナを備えたユーザー機器の各アンテナが互いに異なるユーザー機器固有の帯域幅を有している場合、各アンテナは、割り当てられたユーザー機器固有の帯域幅を通じてサウンディング基準信号を伝送するようになる。これにより、より短い周期内にサウンディング基準信号を通じて複数−アンテナに関するチャネル情報がわかる。この場合、２つのアンテナに割り当てられるシーケンスは、同一であっても、異なっても良い。
【０１１６】
また、２つのアンテナが、割り当てられた帯域幅の半分に該当するシーケンスを生成し、該当の帯域幅を半分に分けて伝送する方式も可能である。例えば、２個のアンテナを備えたユーザー機器にサウンディング基準信号伝送のために１６リソースブロックが割り当てられた場合、該ユーザー機器は、１６リソースブロックを２個の８リソースブロックに分けて２個のアンテナにそれぞれ割り当て、８リソースブロックに該当するシーケンスを生成し、生成された各アンテナに割り当てられた８リソースブロックを通じて伝送することができる。このような方法により、既存のＬＴＥで２０ＭＨｚまで定義された周波数ホッピングパターンを、４０ＭＨｚまで拡張することができる。
【０１１７】
複数−アンテナの各アンテナに同一のサウンディング基準信号帯域幅が割り当てられ、かつ、複数−アンテナに同一のシーケンスが割り当てられることで、同時伝送が可能になると、プリコーディング、巡回遅延ダイバーシティなどの‘結合方式’を用いてサウンディング基準信号を伝送することができる。この文書でいう‘結合方式’とは、複数個のアンテナに関するチャネル情報を知らせるために、特定時刻において同一のユーザー機器固有のサウンディング基準信号帯域幅に割り当てられる同一のサウンディング基準信号シーケンスをプリコーディングまたは巡回遅延ダイバーシティなどを適用して複数個のアンテナを介して伝送する方式のことをいう。すなわち、各アンテナに対して同一のユーザー機器固有のサウンディング基準信号帯域幅、同一のシーケンスが割り当てられている場合、この結合方式を用いて各アンテナを介して同時にサウンディング基準信号を伝送することによって、一度のサウンディング基準信号伝送により該当の帯域に対する複数−アンテナのチャネル情報がわかる。これにより、既存のサウンディング基準信号伝送周期を半分に減らすことができる。例えば、図１でのサウンディング基準信号伝送の例示は、図３のように表現することができる。
【０１１８】
図３は、本発明による、結合方式を用いてサウンディング基準信号を送信するのに用いられるサウンディング基準信号シーケンスマッピング構造の一例を示す図である。
【０１１９】
図３で、横軸は周波数軸を表し、縦軸は時間軸を表す。図３には、図１と同様に、時間に沿って連続して伝送される直交周波数分割多重接続シンボルのうち、サウンディング基準信号が伝送される直交周波数分割多重接続シンボルのみを示している。すなわち、例えば、ｎ＿ＳＲＳ＝０とｎ＿ＳＲＳ＝１との間には、図３に示していない他の直交周波数分割多重接続シンボルが存在することができる。図３には、２つのユーザー機器に対するサウンディング基準信号がマッピングされる領域が表示されているが、ユーザー機器０のサウンディング基準信号伝送のために、特定直交周波数分割多重接続シンボル上で１６個のリソースブロックが割り当てられ（暗い領域）、ユーザー機器１のサウンディング基準信号伝送のために、特定直交周波数分割多重接続シンボル上で８個のリソースブロックが割り当てられている。図１では、サウンディング基準信号伝送のために、一つのユーザー機器に備えられた２個のアンテナのそれぞれに対して互いに異なる時間−周波数リソースが割り当てられているが、図３ではそうでない。
【０１２０】
<実施例４>
結合方式を用いた本発明の一実施例によれば、同一のシーケンス（同一のｕ、ｖ、ユーザー機器固有の帯域幅、及び巡回シフトを用いるシーケンス）を使用する複数−アンテナにプリコーディングを適用してサウンディング基準信号を伝送することができる。複数−アンテナのサウンディング基準信号シーケンスに対してプリコーディング行列Ｗを用いて伝送すると、ＢＳは、該当のサウンディング基準信号帯域幅に対して、２つのアンテナに該当するチャネル情報が得られる。すなわち、複数−アンテナに同一のプリコーディング行列を適用してサウンディング基準信号伝送をすると、基地局では、複数−アンテナの各アンテナに対応するチャネルの等価チャネルＨｅｑを求めることができる。このような等価チャネル情報を用いると、端末は、複数−アンテナに効率的なアップリンクのためのプリコーディング行列を適用することができる。すなわち、プリコーディングを用いたサウンディング基準信号伝送を通じて求めた等価チャネルに基づいて、現在のアップリンクに適切なプリコーディング行列インデックスを基地局が選択でき、基地局がこの情報を端末に知らせることによって、端末はアップリンクを用いたデータ伝送に適切なプリコーディング行列を使用可能になる。サウンディング基準信号伝送に用いられるプリコーディング行列インデックスは、ＢＳがユーザー機器に指定することもでき、ユーザー機器が任意に選択して伝送することもできる。このようにプリコーディングされたサウンディング基準信号を伝送することによって、全帯域幅のチャネルを知るために要されるサウンディング基準信号周期を減らすことができ、該当のユーザー機器の複数−アンテナに対する等価チャネルに対するアップリンク最適のプリコーディング行列インデックスを知ることができる。
【０１２１】
ユーザー機器が、複数−アンテナを介して、プリコーディングされたサウンディング基準信号を送信する場合に、ＢＳで受信される信号は、数学式９のように表すことができる。
【０１２２】
【数９】
2012506193.tif 000067
ここで、
【０１２３】
【化５０】
2012506193.tif 000068
は、各アンテナが経るアップチャネルを表し、Ｗは、複数−アンテナに適用されるプリコーディング行列、ｓはサウンディング基準信号シーケンス、ｙはＢＳで受信する信号、ｎはノイズを表す。
【０１２４】
このように、一つのプリコーディング行列を用いてサウンディング基準信号伝送をすると、サウンディング基準信号伝送周期を減らし、アップリンクのための適切なプリコーディング行列を適用可能になるが、複数−アンテナの各アンテナの独立したチャネルに関する情報を知ることは困難である。このようなアンテナのそれぞれのチャネル情報を知るためには、サウンディング基準信号伝送をするアンテナ数、すなわち、複数−アンテナに対応するチャネル個数だけのプリコーディング行列を用いてサウンディング基準信号を伝送する必要がある。これにより、複数−アンテナのそれぞれの独立したチャネル情報を知ることができる。例えば、２個のアンテナを有する端末は、２つのプリコーディング行列を使用してサウンディング基準信号を伝送することによって各アンテナの独立したチャネル情報を知ることができる。同様に、４個のアンテナを有する端末の場合は、４個のプリコーディング行列が必要とされる。
【０１２５】
本発明では、これと同様にして、プリコーディングベクトルセットを使用することができる。
【０１２６】
図４は、プリコーディングベクトルセットを用いたサウンディング基準信号伝送のリソース割当の一例を示す図である。
【０１２７】
図４を参照すると、複数のサウンディング基準信号伝送区間にわたってプリコーディングベクトルセットを順次に使用してサウンディング基準信号伝送を行うことができる。例えば、Ｐ０、Ｐ１、Ｐ２、及びＰ３で構成されるプリコーディングベクトルセットが与えられる場合に、図３の結合方式を用いてプリコーディングベクトルセットの各プリコーディング行列インデックス（Ｐ０，Ｐ１，Ｐ２，Ｐ３）を各伝送区間ごとに順次に使用する。この方法により、サウンディング基準信号帯域幅に該当する複数−アンテナの等価チャネル及び独立したチャネル情報だけでなく、ユーザー機器のアップリンク最適のプリコーディング行列インデックスがわかる。
【０１２８】
<実施例５>
結合方式を用いる本発明の一実施例によれば、上述したプリコーディングを用いた複数−アンテナサウンディング基準信号伝送方法に巡回遅延ダイバーシティを用いる結合方式をさらに適用することができる。このような方式によれば、上述した利点に加えて、周波数選択的利得、スケジューリング利得などの追加的な利得を期待することができる。
【０１２９】
ユーザー機器が複数−アンテナを介してプリコーディング及び巡回遅延ダイバーシティが適用されたサウンディング基準信号を送信する場合に、基地局で受信される信号は数学式１０のように表すことができる。
【０１３０】
【数１０】
2012506193.tif 000069
ここで、
【０１３１】
【化５１】
2012506193.tif 000070
は各アンテナが経るチャネルを表し、Ｗは複数−アンテナに適用されるプリコーディング行列、Ｄは巡回遅延ダイバーシティ行列、ｓはサウンディング基準信号シーケンス、ｙはＢＳで受信される信号、ｎはノイズを表す。
【０１３２】
上述した巡回遅延ダイバーシティを用いた複数−アンテナサウンディング基準信号伝送方式では、大きい巡回遅延ダイバーシティを用いても良く、小さい巡回遅延ダイバーシティを用いても良い。大きい巡回遅延ダイバーシティ及びプリコーディングが適用されたサウンディング基準信号を伝送する場合には、周波数選択的利得をさらに得ることができる。大きい巡回遅延ダイバーシティは、低速で移動するユーザー機器の他、高速で移動するユーザー機器に対しても良好な性能を呈する。一方、小さい巡回遅延ダイバーシティ及びプリコーディングが適用されたサウンディング基準信号を伝送する場合には、低い複雑度を有し、スケジューリング利得をさらに得ることができる。巡回遅延ダイバーシティ値は、基地局からユーザー機器に知らせることもでき、ユーザー機器が巡回遅延ダイバーシティ値を選択してサウンディング基準信号伝送を行うこともできる。
【０１３３】
以下、本発明による、キャリア集積状況で複数−アンテナを用いてサウンディング基準信号伝送を行う方法について説明する。
【０１３４】
単一キャリア−周波数分割多重接続を使用するアップリンクのために単一キャリアを使用することもでき、このような単一キャリアを多数個結合して使用することもできる。上記の‘キャリア集積’とは、多数個の単一キャリアを使用する場合を指す。
【０１３５】
近年、アップリン／ダウンリンクの収率を高めるための方法としてマルチキャリア伝送に関する研究が活発に行われている。既存システムのサウンディング基準信号は、単一キャリアに基づいて設計されたため、マルチキャリア伝送に適合したサウンディング基準信号伝送方法について新しく定義する必要がある。また、多重アンテナを適用するシステムにおいてリンクの収率を向上させるためにマルチキャリアを用いて伝送する時、マルチアンテナ／マルチキャリアのためのサウンディング基準信号伝送方法も、新しく設計される必要がある。
【０１３６】
以下、本発明の他の実施例による、サウンディング基準信号から獲得したチャネル情報に基づいて端末に適切なキャリアを割り当てる方法について説明する。
【０１３７】
基地局が端末にキャリアを割り当てる過程において、基地局は端末のチャネル情報無しで任意にキャリアを割り当てることもできるが、サウンディング基準信号を通じて獲得したチャネル情報に基づいてキャリアを割り当てることもできる。基地局がチャネル情報に基づいてキャリアを割り当てる方法を用いると、良好なチャネル状態を有するキャリアを端末に割り当てることができるため、アップリンク収率の向上に役立つ。
【０１３８】
単位キャリアがそれぞれＫ  ＭＨｚの帯域幅を有するとする時、Ｍ個の単位キャリアを有する基地局のシステム帯域幅は、Ｋ・Ｍ  ＭＨｚとなる。そして、マルチキャリア伝送が可能な端末は、単位キャリア別に信号を伝送したり、または、マルチキャリアから任意に選択されるいくつかの単位キャリアを同時に用いて伝送したりすることができる。本発明では、説明の便宜上、Ｋ＝２０、Ｍ＝４として説明し、ＫとＭはシステムによって変更可能である。
【０１３９】
端末は、初期に基地局が支援する全てのキャリア、すなわち、それぞれＫ＝２０ＨＭｚの帯域幅を有するキャリア１、キャリア２、キャリア３、及びキャリア４に対して、それぞれサウンディング基準信号を基地局に伝送することができる。また、データ伝送のために、端末に４個のキャリアのうちの特定キャリアのみ既に割り当てられた場合にも、基地局がチャネル状態情報を獲得可能にするために、割り当てられていないキャリアを通じてサウンディング基準信号を伝送することができる。基地局は、受信したサウンディング基準信号からチャネルを推定し、推定されたチャネルに基づいて各キャリアのチャネル状態情報を獲得でき、獲得したチャネル状態情報は、基地局が端末にキャリアを割り当てる時に有用に用いることができる。
【０１４０】
<実施例６>
本発明の他の実施例によれば、キャリア集積状況において、端末の各送信アンテナが互いに異なるキャリアのサウンディング基準信号を伝送することができる。
【０１４１】
例えば、最初のサウンディング基準信号伝送時点に、第一のアンテナ及び第二のアンテナにそれぞれキャリア１及びキャリア２をマッピングさせ、端末は、同一のシーケンス及び同一のサウンディング基準信号帯域幅を有するサウンディング基準信号シーケンスをそれぞれ、上記の第一のアンテナ及び第二のアンテナを介して伝送する。この時、サウンディング基準信号は、サウンディング基準信号帯域幅ｂ＝０またはサウンディング基準信号帯域幅ｂ＝１のように、比較的大きい帯域幅を有するサウンディング基準信号帯域幅を用いて短い時間で伝送することができる。次のサウンディング基準信号伝送時点に、第一のアンテナ及び第二のアンテナにそれぞれキャリア３及びキャリア４をマッピングさせて、サウンディング基準信号シーケンスを伝送することができる。このようなサウンディング基準信号シーケンス伝送結果に基づいて基地局は端末にキャリアを割り当てることができる。また、４個のアンテナポートを使用する場合、同時にキャリア１、２、３、４に対してサウンディング基準信号を伝送することができる。サウンディング基準信号シーケンスを通じて獲得した情報に基づいて基地局が端末にキャリアを割り当てる場合、各アンテナに関する正確なチャネル情報を知る必要はない。したがって、前述した多重アンテナを用いたサウンディング基準信号同時伝送方法のうちの結合方式及びこの実施例を結合してサウンディング基準信号を伝送することが、キャリア割当において有利である。すなわち、結合方式を用いてサウンディング基準信号を伝送する場合、基地局は短い伝送時間に各キャリアに対する等価チャネルを知ることができる。上の各キャリアに対する等価チャネルに基づいて端末にキャリアを割り当てることができる。
【０１４２】
<実施例７>
本発明の他の実施例によれば、キャリア集積状況において、多重アンテナを有する端末でマルチキャリアのためにサウンディング基準信号を伝送することができる。
【０１４３】
端末は、第一のアンテナに割り当てられたベースシーケンスを、あらかじめ定義された巡回シフト値だけシフトさせて、別のシーケンスを生成し、このように生成された別のシーケンスを第二のアンテナに割り当てることができる。または、異なるサウンディング基準信号帯域幅を有するシーケンスを第二のアンテナに割り当てることもできる。または、同一のシーケンス及び同一のサウンディング基準信号帯域幅を用いて２つのアンテナが互いに異なるキャリアを通じてサウンディング基準信号を伝送することもできる。一例として、端末にそれぞれ２０ＭＨｚ帯域幅を有するキャリア１及びキャリア２が割り当てられ、該端末がこれらの帯域幅を通じてサウンディング基準信号を伝送すると仮定することができる。この場合、総４０ＭＨｚが端末に割り当てられる。端末は、第一のアンテナを用いてキャリア１上にサウンディング基準信号を伝送し、第二のアンテナを用いて同一のホッピングパターンでキャリア２上にサウンディング基準信号を伝送することができる。その後、各キャリアに対する多重アンテナの各アンテナのチャネル情報を知るために、端末は、第一のアンテナを用いてキャリア２上にサウンディング基準信号を伝送し、第二のアンテナを用いて同一のホッピングパターンでキャリア１上にサウンディング基準信号を伝送することができる。
【０１４４】
一例として、端末にそれぞれ２０ＭＨｚの帯域幅を有するキャリア１、キャリア２、キャリア３、キャリア４の総８０ＭＨｚが割り当てられ、この端末は４アンテナを用いてサウンディング基準信号を伝送すると仮定することができる。この場合、端末は、第一のアンテナを用いてキャリア１を通じてサウンディング基準信号を伝送し、第ニ、第三、第四のアンテナを用いて同一のホッピングパターンでキャリア２、キャリア３、キャリア４を通じてサウンディング基準信号を伝送することができる。各キャリアに対して、多重アンテナそれぞれのチャネル情報を知るために、端末は、第一のアンテナを用いてキャリア２を通じてサウンディング基準信号を伝送し、第二のアンテナを用いて同一のホッピングパターンでキャリア１を通じてサウンディング基準信号を伝送し、第三のアンテナを用いてキャリア４を通じてサウンディング基準信号を伝送し、第四のアンテナを用いて同一のホッピングパターンでキャリア３にサウンディング基準信号を伝送する方式で、交互にサウンディング基準信号を伝送することができる。
【０１４５】
このように行われたサウンディング基準信号伝送に基づいて基地局は多重キャリアに関するチャネル情報がわかる。キャリア別チャネル状況に応じて端末が互いに異なるシーケンスを多重アンテナに割り当て、これに基づいて各キャリアごとにそれぞれ異なるシーケンスとサウンディング基準信号帯域幅を用いてサウンディング基準信号を伝送することもできる。
【０１４６】
キャリア集積状況では、多重アンテナを用いてそれぞれ異なるキャリアにサウンディング基準信号を伝送する方法の他に、前述したコード分割多重化、周波数分割多重化、結合方式などを用いた多重アンテナサウンディング基準信号伝送方法を、各キャリアごとに適用することができる。すなわち、端末が交互に各キャリアごとに多重アンテナを用いたサウンディング基準信号同時伝送を行うことができる。この場合、各キャリア間になされるサウンディング基準信号伝送スイッチングは、一つのキャリアに対するサウンディング基準信号伝送を終えた後に、他のキャリアに対するサウンディング基準信号を伝送することによってなることもでき、各キャリアのサウンディング基準信号伝送シンボルを交互に伝送することによってなることもできる。例えば、４個のサウンディング基準信号シンボルの間に１回の伝送がなされるキャリア１及びキャリア２上に、２個のアンテナを介してサウンディング基準信号伝送をするとすれば、端末は、まず、キャリア１の４個のサウンディング基準信号シンボルの間に多重アンテナサウンディング基準信号伝送をした後、その次の４個のサウンディング基準信号シンボルの間に、キャリア２にサウンディング基準信号伝送を行うことができる。これとは違い、端末は、１番目のサウンディング基準信号シンボル上でキャリア１を通じて多重アンテナサウンディング基準信号を伝送し、その次の２番目のサウンディング基準信号シンボル上でキャリア２を通じて多重アンテナサウンディング基準信号を伝送することができる。
【０１４７】
同様に、４アンテナの場合に、キャリア集積状況で、多重アンテナを用いてそれぞれ異なるキャリアにサウンディング基準信号を伝送する方法の他に、後述する非プリコーディング、プリコーディング４アンテナサウンディング基準信号伝送を用いた多重アンテナサウンディング基準信号伝送方法を各キャリアごとに適用することができる。
【０１４８】
もし、アップリンク構成キャリアに‘プライマリキャリア’というものが定義されていると、大部分の通信はプライマリキャリアにより行われ、‘ノン−プライマリキャリア’は、拡張用あるいはプライマリ構成キャリアを選択するための測定用に活用することができる。こういう場合を想定すると、端末がサウンディング基準信号伝送をする場合に、プライマリアップリンク構成キャリアによるサウンディング基準信号伝送とノン−プライマリアップリンク構成キャリアによるサウンディング基準信号伝送は互いに異なることがある。表８のように様々な場合を考えることができる。
【０１４９】
【表８】
2012506193.tif 000071
以上に述べた多重アンテナを用いたサウンディング基準信号伝送方法は、例示した２個のアンテナの他、４個以上のアンテナを有する端末にも同一のパターンで適用可能である。
【０１５０】
図５は、各送信アンテナに互いに異なるサウンディング基準信号シーケンスをマッピングして、複数のアンテナを介してサウンディング基準信号シーケンスを伝送する、本発明の一実施例を示す図である。
【０１５１】
本発明の一実施例では、複数のアンテナ、例えば、２個のアンテナを備えた移動局において、前記複数のアンテナのそれぞれに互いに異なるサウンディング基準信号シーケンスをマッピングする段階（Ｓ５０１）を含むことができる。ここで、互いに異なるサウンディング基準信号シーケンスはそれぞれ、互いに直交性を有することができる。移動局が、このようなサウンディング基準信号シーケンスを２個のアンテナ（Ａｎｔ＃０，Ａｎｔ＃１）を介して伝送する段階（Ｓ５０２）を含む。この実施例には、上述した本発明の他の特徴を具現する段階または特徴をさらに結合することもできる。上述の互いに異なるサウンディング基準信号シーケンスのうちのいずれか一つのサウンディング基準信号シーケンスは、いずれか他のサウンディング基準信号シーケンスから巡回シフトされたものとすることができる。または、上述のように、互いに異なるベースシーケンスから生成されたものであっても良い。この互いに異なるベースシーケンスは、ベースシーケンスから構成されるいくつかの集合のうち、互いに異なる集合から選択されたものとすることができる。
【０１５２】
この移動局からサウンディング基準信号シーケンスを受信する受信端（例えば、基地局）が、当該互いに異なるサウンディング基準信号シーケンスをコード分割多重化方式で検出する段階（Ｓ５０３）を含むことができる。基地局が、このサウンディング基準信号シーケンスを用いて各アンテナのチャネル状態を推定する段階（Ｓ５０４）を含むことができる。
【０１５３】
図６は、各送信アンテナに互いに異なるサウンディング基準信号帯域幅を割り当て、複数のアンテナを介してサウンディング基準信号シーケンスを伝送する、本発明の他の実施例を示す図である。
【０１５４】
本発明の他の実施例では、移動局に備えられた複数のアンテナ、例えば、２個のアンテナにはそれぞれ、互いに異なるサウンディング基準信号帯域幅（サウンディング基準信号帯域幅ｂ＝０、サウンディング基準信号帯域幅ｂ＝１）が割り当てられることができる。また、この実施例では、各アンテナにいかなるサウンディング基準信号帯域幅が割り当てられたかを示す割当情報を伝送する段階（Ｓ６００）を含むことができる。また、移動局の各アンテナを介してサウンディング基準信号シーケンスを周波数分割多重化方式で互いに異なるサウンディング基準信号帯域幅（サウンディング基準信号帯域幅ｂ＝０、サウンディング基準信号帯域幅ｂ＝１）を通じて送信する段階（Ｓ６０１）を含むことができる。この場合、上記の割当情報による送信オーバーヘッドを減らすべく、複数のアンテナに割り当てられるサウンディング基準信号帯域幅の組み合わせを、上述の例示のように制限することができる。
【０１５５】
移動局からサウンディング基準信号シーケンスを受信する基地局が、当該割当情報を用いて互いに異なるサウンディング基準信号シーケンスを周波数分割多重化方式で検出する段階（Ｓ６０２）を含むことができる。この場合、サウンディング基準信号シーケンスが伝送される周波数帯域を知るために、基地局は、移動局から送信されるサウンディング基準信号帯域幅割当情報を受信して用いることができる。
【０１５６】
図７は、サウンディング基準信号シーケンスにプリコーディングを適用して複数のアンテナを介してサウンディング基準信号シーケンスを伝送する、本発明の他の実施例を示す図である。
【０１５７】
本発明の他の実施例では、移動局に備えられた複数のアンテナには、同一のサウンディング基準信号シーケンスが割り当てられ、複数のアンテナのいずれにも同一のサウンディング基準信号帯域幅が割り当てられることができる。この場合、この実施例は、サウンディング基準信号シーケンスにプリコーディングを適用する段階（Ｓ７０１）を含むことができる。なお、サウンディング基準信号シーケンスに巡回遅延ダイバーシティ処理を行う段階（Ｓ７０２）をさらに含むことができる。この実施例では、移動局の各アンテナを介してサウンディング基準信号シーケンスを周波数分割多重化方式で送信する段階（Ｓ７０３）を含むことができる。
【０１５８】
移動局からサウンディング基準信号シーケンスを受信する基地局が、サウンディング基準信号シーケンスを検出する段階（Ｓ７０４）を含むことができる。
【０１５９】
上の各実施例において、もし、移動局と基地局が複数のキャリアを支援するシステムに属するとすれば、基地局が複数のキャリアから移動局に対して最適の通信環境を提供するキャリアを選択する段階（Ｓ５０５，Ｓ６０３，Ｓ７０５）をさらに含むことができる。また、基地局が、この選択されたキャリアを移動局が使用できるようするために、キャリアフィードバック情報及び／またはアップリンク多重アンテナのために必要な最適のランク指示子、プリコーディング行列インデックスをフィードバックする段階（Ｓ５０６，Ｓ６０４，Ｓ７０６）をさらに含むことができる。
【０１６０】
以上では２個のアンテナを使用する２つのアンテナ伝送においてサウンディング基準信号を伝送する方法について説明した。以下では、４個のアンテナを使用する４アンテナ伝送において、サウンディング基準信号を４個のアンテナで同時に伝送する本発明による方法を説明する。２アンテナ同時伝送と同様に、４アンテナにおいても４個のパワーアンプを用いて２アンテナサウンディング基準信号同時伝送で使用した技術を適用することができる。下に述べる本発明による４アンテナサウンディング基準信号同時伝送方法を使用すると、より短い周期で全体サウンディング基準信号帯域幅のチャネル情報を知ることができる。
【０１６１】
４アンテナでサウンディング基準信号を４個のアンテナを介して同時に伝送する本発明による方法は、非プリコーティングサウンディング基準信号伝送方式とプリコーディングサウンディング基準信号伝送方式とに大別される。まず、非プリコーティングサウンディング基準信号伝送方式について説明する。
【０１６２】
本発明による非プリコーティングサウンディング基準信号伝送方式は、大きく、コード分割多重化を用いた方式、周波数分割多重化を用いた方式、及び時分割多重化／周波数分割多重化／コード分割多重化を混合した方式に分類することができる。
【０１６３】
まず、２アンテナを用いたサウンディング基準信号伝送と同様に、４アンテナで一つのパワーアンプを使用する場合、各サウンディング基準信号シンボルに各アンテナが交互にサウンディング基準信号を伝送することができる。２アンテナにおいてと同様に、４アンテナを有する端末は、一つのサウンディング基準信号帯域幅とベースシーケンスを通じて各アンテナごとに交互にサウンディング基準信号を伝送することができる。例えば、ある端末のアンテナポート０〜３がそれぞれＡ００、Ａ１０、Ａ０１、Ａ１１を表すとすれば、図８のようにサウンディング基準信号伝送がなされることができる。
【０１６４】
コード分割多重化を用いた４アンテナサウンディング基準信号伝送方式では、４アンテナを有するユーザー機器の各アンテナが同一のユーザー機器固有の帯域幅を有するが、互いに異なるシーケンスを有している場合、コード分割多重化を通じてサウンディング基準信号伝送を行うことができる。すなわち、互いに異なるシーケンスを有する４個のアンテナが、同一のユーザー機器固有の帯域幅にサウンディング基準信号を伝送することによって、４個のアンテナの該当の帯域幅に関するチャネル情報を同時に知ることができる。この方法によると、既存の周波数ホッピングパターンを用いて全体サウンディング基準信号帯域幅のチャネル情報を得るために必要なサウンディング基準信号伝送周期の１／４に該当する周期のみを使用しても、４個のアンテナの全体サウンディング基準信号帯域幅のチャネル情報を知ることができる。
【０１６５】
周波数分割多重化を用いた４アンテナサウンディング基準信号伝送方式では、４アンテナを有するユーザー機器のアンテナが、互いに異なるユーザー機器固有の帯域幅を持っている場合、各アンテナは、それぞれ割り当てられたユーザー機器固有の帯域幅を通じてサウンディング基準信号を伝送するようになる。この方法を使用すると、より短い周期でサウンディング基準信号を用いて複数−アンテナに関するチャネル情報を知ることができる。この場合、４個のアンテナ間のシーケンスは、同一のシーケンスまたは互いに異なるシーケンスを使用することができる。また、４個のアンテナ全体が割り当てられた帯域幅の１／４に該当するシーケンスを生成し、該当の帯域幅を１／４に分けて伝送することもできる。このような方法を使用すると、既存ＬＴＥで２０ＭＨｚの帯域に対して定義された周波数ホッピングパターンを８０ＭＨｚの帯域まで拡張することができる。
【０１６６】
同様に、２個のアンテナで対をなし、各対に対して２個のアンテナ対のために割り当てられた帯域幅の半分の大きさを有する帯域幅に対するシーケンスを生成し、この割り当てられた帯域幅を半分に分けて伝送する方法も可能である。例えば、アンテナポート０、ポート１を対にした場合、この２個のアンテナポートに対して割り当てられた１６リソースブロックサウンディング基準信号帯域幅の半分である８リソースブロックサウンディング基準信号帯域幅に該当するシーケンスを形成し、このように形成されたシーケンスをそれぞれ、この８リソースブロックサウンディング基準信号帯域幅に該当する領域を通じて伝送することができる。同様に、アンテナポート２、３を対にし、８リソースブロックサウンディング基準信号帯域幅に対してそれぞれ４リソースブロックに該当するシーケンスを形成し、これをそれぞれ８リソースブロックサウンディング基準信号帯域幅の半分に該当する領域に伝送することができる。
【０１６７】
時分割多重化／周波数分割多重化／コード分割多重化を混合して用いる４アンテナサウンディング基準信号伝送方式では、４アンテナを有するユーザー機器が４個のパワーアンプでサウンディング基準信号同時伝送が可能な時、時分割多重化、コード分割多重化、周波数分割多重化を混合適用して效率的にサウンディング基準信号を伝送することができる。サウンディング基準信号を伝送するアンテナを対にすることによって、このような多重化手法を混合して適用することができる。例えば、４個のアンテナを２個ずつ対にするように構成したり、または、３個のアンテナを一対にし、残り１個のアンテナを他の対にするように構成することができる。特に、時分割多重化を適用する場合、一度にグループをなして伝送されるアンテナ数に該当するパワーアンプを用いてサウンディング基準信号を同時に伝送することができる。一例として、２個のアンテナをそれぞれ一対に設定して他のサウンディング基準信号シンボルに時分割多重化で伝送する場合、２個のパワーアンプを必要とする。以下、本発明の一実施例として、２個のアンテナポートを一対にする方法の一例について述べる。
【０１６８】
図９は、周波数分割多重化及び時分割多重化を用いて４アンテナサウンディング基準信号伝送を行う本発明の一実施例を示す図である。
【０１６９】
まず、本発明の一実施例によれば、一対となる２個のアンテナポートは、互いに異なるサウンディング基準信号帯域幅を受けて周波数分割多重化により多重化され、対間には時分割多重化により多重化が行われる。この場合、２個のパワーアンプによりサウンディング基準信号伝送が可能である。すなわち、１番目のサウンディング基準信号伝送時点で、アンテナポート０、ポート１はそれぞれ、互いに異なるサウンディング基準信号帯域幅が割り当てられて、サウンディング基準信号を同時に伝送するが、アンテナポート２、ポート３は、サウンディング基準信号を伝送しない。２番目のサウンディング基準信号伝送時点で、アンテナポート０、ポート１に割り当てられたサウンディング基準信号帯域幅に、それぞれアンテナポート２、ポート３が周波数分割多重化によりサウンディング基準信号を同時に伝送する。一例として、ある端末のアンテナポート０〜３がそれぞれＡ００、Ａ１０、Ａ０１、Ａ１１を表すとすれば、図９のようにサウンディング基準信号伝送がなされることができる。
【０１７０】
次に、本発明の他の実施例では、一対をなす２個のアンテナポートは、同一のサウンディング基準信号帯域幅及び互いに異なるシーケンスが割り当てられてコード分割多重化により多重化され、対間には時分割多重化により多重化が行われる。この場合、２個のパワーアンプでサウンディング基準信号伝送が可能である。すなわち、１番目のサウンディング基準信号伝送時点で、アンテナポート０、ポート１はそれぞれ、同一のサウンディング基準信号帯域幅及び互いに異なるシーケンスが割り当てられて、サウンディング基準信号を同時に伝送するが、アンテナポート２、ポート３はサウンディング基準信号を伝送しない。２番目のサウンディング基準信号伝送時点では、アンテナポート０、ポート１に割り当てられたサウンディング基準信号帯域幅とシーケンスを用いて、アンテナポート２、ポート３がコード分割多重化によりサウンディング基準信号を同時に伝送する。４個のアンテナが同時にコード分割多重化でサウンディング基準信号を伝送する場合に４個のシーケンスが必要であるが、時分割多重化を混合適用すると、２個のシーケンスのみ必要である。
【０１７１】
最後に、本発明の他の実施例では、一対をなす２個のアンテナポートは、同一のサウンディング基準信号帯域幅及び互いに異なるシーケンスが割り当てられてコード分割多重化により多重化され、対間には周波数分割多重化により多重化が行われる。アンテナポート０、ポート１はそれぞれ、同一のサウンディング基準信号帯域幅及び互いに異なるシーケンスが割り当てられてサウンディング基準信号を同時に伝送し、アンテナポート２、ポート３は、アンテナポート０、ポート１に割り当てられたサウンディング基準信号帯域幅と異なるサウンディング基準信号帯域幅を用いて、周波数分割多重化によりサウンディング基準信号を同時に伝送する。
【０１７２】
次に、本発明によるプリコーディングサウンディング基準信号伝送方式について説明する。
【０１７３】
上述の結合方式を用いたサウンディング基準信号同時伝送方式は、２アンテナの他、４アンテナにも適用することができる。すなわち、４個のアンテナポート全体に上述の結合方式を適用することによって、プリコーディングされたサウンディング基準信号を伝送すことができる。
【０１７４】
または、それぞれ、２個のアンテナポートを一対にし、各対に上述のプリコーディング方式を適用し、プリコーディングされたサウンディング基準信号を同時に伝送することができる。すなわち、アンテナポート０、ポート１、及びアンテナポート２、ポート３をそれぞれ対としている場合、各対にプリコーディングが適用され、各対はプリコーディングされた一つのアンテナとして見なすことができる。４アンテナを有する端末は、プリコーディングされた２個の２アンテナを有する端末と見なすことができる。このようにプリコーディングされた対を用いて、上述した２アンテナのためのサウンディング基準信号同時伝送で記述したコード分割多重化、周波数分割多重化の他、時分割多重化も適用して４アンテナ伝送を行うことができる。端末がプリコーディングされた２個の２アンテナで時分割多重化を適用してサウンディング基準信号を伝送するとすれば、２個のパワーアンプで伝送することが可能になる。しかも、プリコーディングに加えてＣＤＤをさらに適用したり、別に適用することができる。
【０１７５】
図１０は本発明の一実施例によって、プリコーディングされたアンテナ対に基づいて時分割多重化により４アンテナサウンディング基準信号伝送を行う一例を示す図である。
【０１７６】
図１０を参照すると、１番目のサウンディング基準信号伝送時点に、プリコーディングされた１番目の対（アンテナポート０、１）を伝送し、２番目のサウンディング基準信号伝送時点に、プリコーディングされた２番目の対（アンテナポート２、３）を伝送する。
【０１７７】
図１１は、本発明の他の実施例によって、プリコーディングされたアンテナ対に基づいて周波数分割多重化により４アンテナサウンディング基準信号伝送を行う一例を示す図である。
【０１７８】
図１１を参照すると、各対に互いに異なるサウンディング基準信号帯域幅が割り当てられる。プリコーディングされたアンテナ対はそれぞれ、割り当てられたサウンディング基準信号帯域幅を通じてプリコーディングされたサウンディング基準信号を伝送する。プリコーディングされたアンテナ対をそれぞれ、プリコーディングされた１番目の対（アンテナポート０、１）、プリコーディングされた２番目の対（アンテナポート２、３）とする時に、図１０のような時間−周波数スケジュールリングにより伝送される。
【０１７９】
以上説明された実施例は、本発明の構成要素及び特徴を所定の形態で結合したものである。各構成要素または特徴は、別の明示的な言及がない限り、選択的なものとして考慮しなければならない。各構成要素または特徴は、他の構成要素や特徴と結合しない形態で実施することができる。また、一部の構成要素及び／または特徴を結合して本発明の実施例を構成することもできる。本発明の実施例で説明される動作の順序は変更可能である。ある実施例の一部構成や特徴は、他の実施例に含まれることもでき、他の実施例の対応する構成または特徴に取って代わることもできる。特許請求の範囲で明示的な引用関係を有しない請求項を結合して実施例を構成したり、出願後の補正により新しい請求項として含めることもできることは自明である。
【０１８０】
本文書において、本発明の実施例は、基地局と移動局間のデータ送受信関係を中心に説明された。ここで、基地局は、移動局と直接的に通信を行うネットワークの終端ノードの意味を有する。本文書で、基地局により行われると説明された特定動作は、場合によっては、基地局の上位ノードにより行われることもできる。すなわち、基地局を含む多数のネットワークノードからなるネットワークにおいて移動局との通信のために行われる種々の動作は、基地局または基地局以外の別のネットワークノードにより行われうることは明らかである。‘基地局’は、固定局（ｆｉｘｅｄ  ｓｔａｔｉｏｎ）、Ｎｏｄｅ  Ｂ、ｅＮｏｄｅ  Ｂ（ｅＮＢ）、アクセスポイントなどの用語に代替可能である。また、‘端末’は、ユーザー機器、モバイルステーション、モバイル加入者ステーションなどの用語に代替可能である。
【０１８１】
本発明の実施例は様々な手段、例えば、ハードウェア、ファームウェア（ｆｉｒｍｗａｒｅ）、ソフトウェアまたはそれらの結合などにより具現することができる。ハードウェアによる具現の場合、本発明の一実施例は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現することができる。
【０１８２】
ファームウェアやソフトウェアによる具現の場合、本発明の実施例は、以上で説明された機能または動作を行うモジュール、手順または関数などの形態で具現することができる。ソフトウェアコードはメモリーユニットに記憶されてプロセッサにより駆動されることができる。メモリーユニットは、プロセッサの内部または外部に設けられて、公知の様々な手段によりプロセッサとデータを交換することができる。
【０１８３】
本発明は、本発明の精神及び必須特徴を逸脱しない範囲で別の特定の形態に具体化することができる。したがって、上記の詳細な説明はいずれの面においても制約的に解析されてはならず、例示的なものとして考慮されなければならない。本発明の範囲は、添付した請求項の合理的解析によって決定されなければならないもので、本発明の等価的範囲内における変更はいずれも本発明の範囲に含まれる。
【産業上の利用可能性】
【０１８４】
本発明は、サウンディング基準信号を使用する無線移動通信システムに用いることができる。
【図１】
2012506193.tif 000072
【図２】
2012506193.tif 000073
【図３】
2012506193.tif 000074
【図４】
2012506193.tif 000075
【図５】
2012506193.tif 000076
【図６】
2012506193.tif 000077
【図７】
2012506193.tif 000078
【図８】
2012506193.tif 000079
【図９】
2012506193.tif 000080
【図１０】
2012506193.tif 000081
【図１１】
2012506193.tif 000082
【手続補正書】
【提出日】平成23年4月14日(2011.4.14)
【手続補正１】
【補正対象書類名】明細書
【補正対象項目名】００２３
【補正方法】変更
【補正の内容】
【００２３】
好適には、特定サウンディング基準信号伝送時点において、前記各アンテナには、前記複数のキャリアのうちの互いに異なるキャリアがマッピングされる。
（項目１）
無線移動通信システムおいて、複数のアンテナを備える移動局でサウンディング基準信号を送信する方法であって、
前記移動局で、前記複数のアンテナに複数のサウンディング基準信号シーケンスをマッピングする段階であって、前記複数のサウンディング基準信号シーケンスは、相互直交性を有する互いに異なるサウンディング基準信号シーケンスである、サウンディング基準信号シーケンスマッピング段階と、
前記移動局で、前記複数のアンテナを介して前記マッピングされた複数のサウンディング基準信号シーケンスを送信する段階と、
を含む、サウンディング基準信号送信方法。
（項目２）
前記それぞれのアンテナに割り当てられるサウンディング基準信号帯域幅は同一である、項目１に記載のサウンディング基準信号送信方法。
（項目３）
前記複数のサウンディング基準信号シーケンスのうちのいずれか一つのサウンディング基準信号シーケンスは、いずれか他のサウンディング基準信号シーケンスから巡回シフトされて生成されたものである、項目１に記載のサウンディング基準信号送信方法。
（項目４）
前記複数のサウンディング基準信号シーケンスのうちのいずれか一つのサウンディング基準信号シーケンスは、いずれか他のサウンディング基準信号シーケンスから巡回シフトされて生成されたものである、項目２に記載のサウンディング基準信号送信方法。
（項目５）
前記無線移動通信システムは複数のキャリアを使用し、
前記サウンディング基準信号送信方法は、前記複数のキャリアのうち、前記送信されたサウンディング基準信号に基づいて選択されたキャリアを特定する情報を受信する段階をさらに含む、項目１に記載のサウンディング基準信号送信方法。
（項目６）
無線移動通信システムにおいて、複数のアンテナを備える移動局でサウンディング基準信号を送信する方法であって、
前記移動局で、前記複数のアンテナを介して複数のサウンディング基準信号シーケンスを送信する段階であって、前記複数のアンテナの各アンテナにはそれぞれ異なるサウンディング基準信号帯域幅が割り当てられる、サウンディング基準信号シーケンス送信段階と、
前記移動局で、前記各アンテナに割り当てられたサウンディング基準信号帯域幅を特定して指示する情報を送信する段階と、
を含む、サウンディング基準信号送信方法。
（項目７）
前記各アンテナに割り当てられる各サウンディング基準信号帯域幅は、あらかじめ決定された条件によって制限される、項目６に記載のサウンディング基準信号送信方法。
（項目８）
前記移動局は総２個のアンテナを備え、前記サウンディング基準信号帯域幅は総４個のインデックスにより特定され、前記２個のアンテナのうちの第１アンテナに割り当てられるサウンディング基準信号帯域幅の帯域幅インデックスは、前記２個のアンテナのうちの第２のアンテナに割り当てられるサウンディング基準信号帯域幅の帯域幅インデックスと隣接する値である、項目７に記載のサウンディング基準信号送信方法。
（項目９）
前記無線移動通信システムは複数のキャリアを使用し、
前記サウンディング基準信号送信方法は、前記複数のキャリアのうち、前記送信されたサウンディング基準信号に基づいて選択されたキャリアを特定する情報を受信する段階をさらに含む、項目６に記載のサウンディング基準信号送信方法。
（項目１０）
無線移動通信システムにおいて、複数のアンテナを備える移動局でサウンディング基準信号を送信する方法であって、
前記移動局で、前記複数のアンテナを介して伝送されるサウンディング基準信号シーケンスにプリコーディングを適用する事前処理段階であって、前記複数のアンテナには同一のサウンディング基準信号帯域幅が割り当てられる、事前処理段階と、
前記移動局で、前記複数のアンテナを介して前記事前処理されたサウンディング基準信号シーケンスを送信する段階と、
を含む、サウンディング基準信号送信方法。
（項目１１）
前記事前処理段階で、互いに異なるサウンディング基準信号伝送区間では互いに異なるプリコーディング行列が適用される、項目１０に記載のサウンディング基準信号送信方法。
（項目１２）
前記事前処理段階は、前記サウンディング基準信号シーケンスに巡回遅延ダイバーシティ処理を行う段階を含む、項目１０に記載のサウンディング基準信号送信方法。
（項目１３）
前記無線移動通信システムは、複数のキャリアを使用し、
前記サウンディング基準信号送信方法は、前記複数のキャリアのうち、前記送信されたサウンディング基準信号に基づいて選択されたキャリアを特定する情報を受信する段階をさらに含む、項目１０に記載のサウンディング基準信号送信方法。
（項目１４）
前記事前処理段階及び前記サウンディング基準信号シーケンスを送信する段階は、前記複数のキャリアの各キャリアに対して独立して行われる、項目１３に記載のサウンディング基準信号送信方法。
（項目１５）
特定サウンディング基準信号伝送時点において、前記各アンテナには、前記複数のキャリアのうちの互いに異なるキャリアがマッピングされる、項目１３に記載のサウンディング基準信号送信方法。
【手続補正２】
【補正対象書類名】特許請求の範囲
【補正対象項目名】全文
【補正方法】変更
【補正の内容】
【特許請求の範囲】
【請求項１】
無線移動通信システムおいて、複数のアンテナを備える移動局でサウンディング基準信号を送信する方法であって、
第1アンテナのための巡回シフト値に基づいて前記複数のアンテナのそれぞれのための巡回シフト値を設定する段階と、
前記複数のアンテナのそれぞれのための循環シフト値を用いて、前記複数のアンテナのそれぞれに対応するサウンディング基準信号シーケンスを生成する段階と、
前記サウンディング基準信号シーケンスのそれぞれを、対応するアンテナのリソース要素にマッピングする段階と、
前記複数のアンテナを介して、前記マッピングされたサウンディング基準信号シーケンスのそれぞれを送信する段階と、
を含む、サウンディング基準信号送信方法。
【請求項２】
前記それぞれのアンテナに割り当てられるサウンディング基準信号帯域幅は同一である、請求項１に記載のサウンディング基準信号送信方法。
【請求項３】
前記第１アンテナのための巡回シフト値は、上位層によって設定される、請求項１に記載のサウンディング基準信号送信方法。
【請求項４】
前記複数のアンテナのそれぞれのための巡回シフト値は、既に設定された値だけ互いに離隔されている、請求項１に記載のサウンディング基準信号送信方法。
【請求項５】
前記無線移動通信システムは複数のキャリアを使用し、
前記サウンディング基準信号送信方法は、前記複数のキャリアのうち、前記送信されたサウンディング基準信号に基づいて選択されたキャリアを特定する情報を受信する段階をさらに含む、請求項１に記載のサウンディング基準信号送信方法。
【請求項６】
前記複数のアンテナの各アンテナにはそれぞれ異なるサウンディング基準信号帯域幅が割り当てられる、請求項１に記載のサウンディング基準信号送信方法。
【請求項７】
前記各アンテナに割り当てられる各サウンディング基準信号帯域幅は、あらかじめ決定された条件によって制限される、請求項６に記載のサウンディング基準信号送信方法。
【請求項８】
前記移動局は総２個のアンテナを備え、前記サウンディング基準信号帯域幅は総４個のインデックスにより特定され、前記２個のアンテナのうちの第１アンテナに割り当てられるサウンディング基準信号帯域幅の帯域幅インデックスは、前記２個のアンテナのうちの第２のアンテナに割り当てられるサウンディング基準信号帯域幅の帯域幅インデックスと隣接する値である、請求項７に記載のサウンディング基準信号送信方法。
【請求項９】
前記無線移動通信システムは複数のキャリアを使用し、
前記サウンディング基準信号送信方法は、前記複数のキャリアのうち、前記送信されたサウンディング基準信号に基づいて選択されたキャリアを特定する情報を受信する段階をさらに含む、請求項６に記載のサウンディング基準信号送信方法。
【請求項１０】
無線移動通信システムおいて、複数のアンテナを備える移動局であって、
第1アンテナのための巡回シフト値に基づいて前記複数のアンテナのそれぞれのための巡回シフト値を設定し、前記複数のアンテナのそれぞれのための循環シフト値を用いて、前記複数のアンテナのそれぞれに対応するサウンディング基準信号シーケンスを生成し、前記サウンディング基準信号シーケンスのそれぞれを、対応するアンテナのリソース要素にマッピングするプロセッサと、
前記複数のアンテナを介して、前記マッピングされたサウンディング基準信号シーケンスのそれぞれを送信する送信モジュールと、
を含む、移動局装置。
【請求項１１】
前記第１アンテナのための巡回シフト値は、上位層によって設定される、請求項１０に記載の移動局装置。
【請求項１２】
前記複数のアンテナのそれぞれのための巡回シフト値は、既に設定された値だけ互いに離隔されている、請求項１０に記載の移動局装置。
【国際調査報告】
2012506193.tif 000083
2012506193.tif 000084
2012506193.tif 000085
2012506193.tif 000086